(57)【要約】【課題】  比較的簡便な構成でありながら、フリーフローの発生を適切に防止することが可能な医療用送液ラインを提供する。【解決手段】  医療用送液ライン（輸液セット1）を、点滴筒4、クレンメ7、および輸液チューブ3、5、6、弁10とで構成する。ポンプ駆動時において、薬液40にポンプ20の駆動力が作用している状態では、弁10の弁体150では、半紡錘部152のスリット153が変形して開放状態となり、薬液40が薬液バッグ2から下流側へ良好に流通させる。  そして、万が一薬液40に輸液ポンプ20の駆動力が作用しなくなった場合、輸液チューブ3、5、6を流れる薬液40には、輸液ポンプ20の駆動力が作用しなくなる。これにより弁10の弁体150では、開放状態にあった半紡錘部152のスリット153の形状が復元して閉止状態となり、薬液40の流通を止める。【選択図】  図2
2005296142.tif 000002
【特許請求の範囲】
【請求項１】
液貯留器に連結されるチューブを備え、当該液貯留器に貯留された液を下流側へ送液するポンプと接続される医療用送液ラインであって、
前記チューブの途中に弁が設けられており、
当該弁は、前記チューブ内の液に前記ポンプの駆動力が作用するときには開状態となり、
前記チューブ内の液に前記ポンプの駆動力が作用しない時には、前記チューブ内の液の流通を減少または停止させる状態となる
ことを特徴とする医療用送液ライン。
【請求項２】
前記弁は、頂部にスリットが形成された可撓性弁体を有するとともに、前記チューブに対して前記弁体の頂部が前記チューブ内で前記下流側に向くように配されており、
前記チューブ内の液に前記ポンプの駆動力が作用するときには、前記スリットが開いて当該スリット中を液が流通し、
前記チューブ内の液に前記ポンプの駆動力が作用しない時には、前記スリットが閉じて前記チューブ中の液の流通が減少または停止する構成であることを特徴とする請求項1に記載の医療用送液ライン。
【請求項３】
前記医療用送液ラインは、薬液を血管内に送液するためのものであることを特徴とする請求項1または2に記載の医療用送液ライン。
【請求項４】
前記ポンプは、前記チューブを外部より押圧して、前記チューブ内の液を送液させるペリスタルティック式ポンプであることを特徴とする請求項1〜3のいずれかに記載の医療用送液ライン。
【発明の詳細な説明】
【技術分野】
【０００１】
本発明は、医療用注入ポンプを使用する医療用送液ラインに関し、特にペリスタルティック式ポンプを使用する医療用送液ラインにおけるフリーフロー防止技術に関する。
【背景技術】
【０００２】
薬液や栄養剤、血液等を正確に一定速度で一定量、患者や送液ラインに投与する目的で、輸液セット、栄養セット、補液セットまたは血液セットと称される医療用送液ラインのシステムが利用されている。
図5（a）は、医療用送液ラインの一例として、一般的な輸液セットの構成例を示す図である。当図5（a）に示すように、当該輸液セットは、主として薬液を貯留する液貯留器としての薬液バッグと、これに接続したチューブ、そしてチューブに対して配設される送液用の輸液手段として輸液ポンプを備えている。さらにチューブ途中には、点滴筒、クレンメが配されることがある。
【０００３】
輸液ポンプにはペリスタルティック（peristaltic）式と称されるものが広く用いられている。当該ペリスタルティック式ポンプは、フィンガーと呼ばれる突起を複数備えて成るフィンガー式、及び円柱状のローラーを複数備えて成るローラー式とがあり、チューブはフィンガー又はローラーと輸液ポンプ筐体との間で挟持されるように配設される。
そして駆動時には、上記フィンガーの蠕動運動又はローラーを回転させることで、チューブの側面を扱くように押し潰し、チューブ内の薬液を一定方向へ流通する。
【０００４】
このような機構を利用して、輸液ポンプのフィンガーの蠕動運動又はローラーの回転速度と駆動時間を適宜設定することで、目的の流速および流量の薬液を患者や送液ラインに投与することができる。
以上の構成を持つ輸液セットは、医療施設で利用される他、携帯型緊急医療器具としても利用され、また救急医療車両、人命救助ヘリコプター等にも搭載されて用いられる。
【特許文献１】特開2001-218841号公報
【特許文献２】特開2002-300667号公報
【発明の開示】
【発明が解決しようとする課題】
【０００５】
しかしながら従来の医療用送液ラインでは、その使用において次のような問題がある。
すなわち上記ペリスタルティック式ポンプを用いた輸液セットの例では、チューブがポンプのフィンガー又はローラーとポンプ筐体の間で挟持されることで輸液を行うが、フィンガー又はローラーからの押圧力を受けてチューブが所定の配設位置からずれることがある。そして、このようなチューブの位置ずれが次第に大きくなると、チューブはフィンガー又はローラーと接触した輸液ポンプ筐体から完全に外れてしまう。
【０００６】
ここで図5（b）は、上記図5（a）の構成の医療用送液ラインにおいて、ポンプ筐体からチューブの脱離が生じた状態を示す図である。ここでは、ローラー式のペリスタルティック式ポンプを例に示している。
当図5（b）に示すように、輸液ポンプからチューブが脱離すると、チューブにはローラーの押圧力が作用しなくなるので、チューブ内が完全に解放状態となる。このとき、薬液バッグが前記チューブ末梢側の患者や輸液ラインに対して高い位置に設けられていると、薬液バッグと前記チューブ末梢側の患者や輸液ラインの落差や圧力差によって、薬液バッグ中の薬液がチューブ内を自然落下して流れる、いわゆる「フリーフロー」が発生する。
【０００７】
このようなフリーフローが発生すると、輸液の流速を調節することができず、大量の薬液を短時間に患者や送液ラインに投与してしまうことに繋がってしまう。このような問題は、適切な輸液を行う上で改善すべき課題である。
また、医療用送液ラインを緊急医療車両や人命救助ヘリコプター等で使用する場合、移動中の振動やエンジンの振動によってもポンプからチューブが外れ、フリーフローが発生する場合がある。このような救急医療現場におけるフリーフローの発生は、緊急医療活動の求められる観点から特に防止すべきであり、特に早急な対応が望まれている。
【０００８】
本発明は以上の課題に鑑みてなされたものであって、比較的簡便な構成でありながら、フリーフローの発生を適切に防止することが可能な医療用送液ラインを提供することにある。
【課題を解決するための手段】
【０００９】
上記課題を解決するために本発明は、液貯留器に連結されるチューブを備え、当該液貯留器に貯留された液を下流側へ送液するポンプと接続される医療用送液ラインであって、前記チューブの途中に弁が設けられており、当該弁は、前記チューブ内の液に前記ポンプの駆動力が作用するときには開状態となり、前記チューブ内の液に前記ポンプの駆動力が作用しない時には、前記チューブ内の液の流通を減少または停止させる状態となる構成とした。
【００１０】
具体的には、前記弁は、頂部にスリットが形成された可撓性弁体を有するとともに、前記チューブに対して前記弁体の頂部が前記チューブ内で前記下流側に向くように配されており、前記チューブ内の液に前記ポンプの駆動力が作用するときには、前記スリットが開いて当該スリット中を液が流通し、前記チューブ内の液に前記ポンプの駆動力が作用しない時には、前記スリットが閉じて前記チューブ中の液の流通が減少または停止する構成とすることができる。
【００１１】
ここで前記ポンプは、前記チューブを外部より押圧して、前記チューブ内の液を送液させるペリスタルティック式ポンプとすることができる。
【発明の効果】
【００１２】
以上のように本発明の医療用送液ラインの構成では、チューブ途中に弁を設け、当該弁をチューブ内の液にポンプの駆動力が作用するときには開状態とし、チューブ内の液にポンプの駆動力が作用しないときにはチューブ内の液の流通を減少または停止させる構成としている。このため本発明では、従来のようにチューブがポンプよりはずれたときにチューブ内が開放状態となり、液貯留器と当該液貯留器に接続したチューブ末梢側の患者や輸液ラインとの落差や圧力差に起因してフリーフローが発生し、大量の液を短時間に患者や送液ラインに投与してしまうといった問題の発生を根本的に解決することが可能となる。
【００１３】
また、本発明では上記弁を利用する構成であることから、比較的簡便な構成で上記フリーフローの発生を回避することが可能である。
さらに上記弁としては、頂部にスリットが形成された可撓性弁体を有するようにすれば、逆止弁としての機能が高まるので、より効果的に弁機能を得ることができる。
このときチューブに対して前記弁体の頂部がチューブ内で前記下流側に向くように配することによって、チューブ内の液にポンプの駆動力が作用するときには、前記スリットが容易に開いて薬液を流通させる一方、チューブ内の液にポンプの駆動力が作用しない時には、前記スリットが閉じてチューブ中の液の流通が確実に停止する。
【００１４】
なお本発明は、チューブがフィンガー又はローラーにより押圧されて位置ずれを起こす可能性が比較的想定されうるペリスタルティック式ポンプを用いる場合に、特に効果が大きい。
【発明を実施するための最良の形態】
【００１５】
（実施の形態1）
1-1.輸液セットの全体構成
図1は、実施の形態1における輸液セット1の構成を示す図であるが、当該発明の医療用送液ラインは輸液セットに限定されることはなく、栄養剤や血液等の送液にも用いる栄養セットや輸液セット、補液セットとして構成可能である。
【００１６】
当該発明の輸液セット1は、点滴筒4、クレンメ7、および輸液チューブ3、5、6、弁10とで構成される。薬液投与システムとしては、輸液バッグ2、並びに輸液輸液ポンプ20と組み合わせて使用される。ここでは輸液ポンプ20としてローラー式ポンプを利用する例を説明する。
薬液バッグ2は液貯留器の一例であって、ポリエチレン等の可撓性樹脂材料を袋状に加工してなる。バッグ本体51には予め薬液40が所定量貯留され、密封されている。薬液バッグ2底部には止栓部として接続部52が形成されており、これに中空の瓶針30を穿刺して外部に薬液40を流出させるようになっている。
【００１７】
なお、上記バッグの代わりにボトルを用いてもよい。また薬液40の代わりに栄養剤または血液であってもよい。その場合、当該発明の医療用送液ラインは一般的にそれぞれ、栄養セットまたは、血液セットと呼ばれる。
輸液チューブ3、5、6は可撓性材料から構成されている。このうち輸液チューブ3には一端に上記瓶針30が設けられており、他端31側は点滴筒4と接続されている。これにより、薬液バッグ2から薬液40が輸液チューブ3を通って点滴筒4へ輸液されるようになっている。
【００１８】
点滴筒4は透明な筒状体であり、薬液40の流通速度を確認するために設けられたものである。なお、本実施の形態1の輸液セット1では、薬液40の流速を輸液ポンプ20にて把握する構成を持つため、当該点滴筒4は必ずしも用いなくてもよい。
点滴筒4には輸液チューブ5が接続されており、当該輸液チューブ5によって薬液40が弁10まで流通するようになっている。
【００１９】
ここにおいて、弁10は本実施の形態1の主たる特徴部分であり、フリーフロー防止目的で配設されたものである。当該弁10については詳細を後述する。
さらに弁10には輸液チューブ6が接続され、患者や送液ラインに薬液を流通させるようになっている。輸液チューブ6の他端側には、さらに注射針や所定のコックが配されている。
【００２０】
なお輸液チューブ6途中には、手動で薬液40の流速を調節するためのクレンメ7が設けられているが、これも上記点滴筒4と同様に、本実施の形態1の輸液セット1の必須構成ではなく、用いなくても良い。
輸液チューブ6のクレンメ7より下流側は、輸液ポンプ20にセットされている。
輸液ポンプ20は医療用注入ポンプであり、いわゆるローラー式のペリスタルティック式ポンプであって、筐体201に、操作部210、表示部220、ペリスタルティックローラー230、およびチューブセット部240が備えられている。
【００２１】
筐体201は一例として金属材料からなる直方体型のケースである。当該筐体201内部には、ペリスタルティックローラー230を回転駆動するためのモータと、当該モータを所定の回転速度で駆動するための駆動調節を制御する制御回路等が収納されている。当該制御回路は、例えばワンチップのマイクロコンピュータにより構成することが可能である。
操作部210は、電源スイッチ211や輸液流量、輸液予定量等の輸液条件を設定するための調節ボタン212、213等を備えている。ユーザがこれらのスイッチおよびボタン211〜213を適宜操作することで、当該輸液ポンプ20を起動し、設定条件（輸液条件）を入力することができる。入力された輸液条件は、上記制御回路に伝達され、一例としてマイクロコンピュータのメモリ部に格納されるようになっている。
【００２２】
表示部220には、上記スイッチおよびボタン211〜213で設定した輸液条件（輸液時間h、輸液速度ml/h、輸液量ml等）に掛かる各数値が表示される。当該表示部220で表示する輸液条件は、ユーザ（看護師）が操作部210より入力した内容、または現在の輸液状態のいずれか、もしくはその両方を同時表示するように選択することができる。
ペリスタルティックローラー230は、ローラー本体232の周囲に、円柱状突起部（ローラー）231が複数個設けられてなり、その軸部232が筐体201側面に沿って回転自在になるように配されている。軸部232は筐体201に対し、筐体201内部のモータ軸の駆動力が伝達されるよう軸支されている。
【００２３】
さらに、ペリスタルティックローラー230の周囲を一定距離を置いて取り囲むように筐体201側面を外部へ張り出させることで、ペリスタルティックローラー230と筐体201の間に溝状の間隙が設けられ、これがチューブセット部240として作用する。輸液ポンプ20は、前記輸液チューブ6に対してチューブセット部240により装着して配設される。
このとき、図1に示すように輸液チューブ6は、ペリスタルティックローラー230のローラー231とチューブセット部240の間で部分的に挟持される。そして駆動時にはペリスタルティックローラー230が回転してローラー231の円柱側面が次々に輸液チューブ6を押し潰し、当該輸液チューブ6の側面を蠕動運動させる。
【００２４】
なお、輸液チューブ3、5、6には、さらに不使用時に薬液40の流通を確実に止めるためのクランプを装着するようにしてもよいが、使用時には当然ながらこれを外す必要がある。
1-2.弁の構成について
図2は弁10の構成を示す図である。図2（a）は斜視図、図2（b）は一部断面図（弁体を説明上外見的に示している）をそれぞれ表す。
【００２５】
図2（a）に示すように、弁10は、支持筒100と、弁体150より構成される。
支持筒100は可撓性材料（例えば可塑化PVC（可塑剤部数60PHR））を筒状に形成した構成を有するものであって、互いに内径および外径の異なる大径部101および小径部102と、その接続部分において段差部103とを備えている。
なお弁10の支持筒100には可撓性材料を用いて構成していることから、これによって後述するように、ユーザによる弁10の押圧操作が可能になっている。しかしながら、このような押圧操作を行わず、輸液ポンプ20による弁10の操作を主として想定する場合には、支持筒100を硬質性材料で構成してもよい。
【００２６】
弁体10は可撓性材料を半紡錘体状に形成した構成を持ち、半紡錘部152と、その頂部に形成されたスリット153、および半紡錘部152の裾側にリング状に設けられたリブ151とを有する。スリット153は通常は閉状態となっており、隙間がない。
当該半紡錘部152としては、市販されている弁を利用する場合、例えばバーネイ社のダックビル型逆止弁を利用することができる。また、作製する場合は、シリコーン材料を用いてLIM成形法により作製する方法や、ディッピング法を利用してウレタンエラストマー或いはPVCペーストを半球状に成形し、その後にスリットを設ける工程が挙げられる。
【００２７】
弁体10を構成する可撓性材料には、適度な硬質性と復元性を持つもの（具体的にはシリコーン）が選ばれている。弁体10の材料に適切なものを選ぶことよって、輸液ポンプ20からの駆動力（薬液40の吸引力）やユーザ（看護師）による押圧操作に対しては容易にスリット153が開くが、薬液バッグ2と当該薬液バッグ2に接続された輸液チューブ3、5、6から末梢側の患者や輸液ラインまでの落差や圧力差に起因する薬液40の圧力を受けてもスリット153が開かないように構成される。
【００２８】
半紡錘部152の直径は小径部102の内径に合わせて設定されており、またリブ151は小径部102の内径より若干大きく設定されている。これにより弁体10は、図2（b）に示すように、ちょうど小径部102に嵌合しつつ、段差部103でリブ151が係合されて配設される。
大径部101には、その内径に合わせたサイズの輸液チューブ5が挿入され、その端部が弁体10のリブ151を押圧することで、弁体10の位置が固定され、弁体10の配設後に位置ずれを起こすことはない。一方、小径部102には、その外径に合わせたサイズの輸液チューブ6が挿入される。このような構成により、弁10は輸液チューブ5、6の接続部分に配設されるようになっている。
【００２９】
なお、弁10の接続は上記に限らず、半紡錘部152及び弁10を気密的に接続する方法であれば良いことから、必ずしも半紡錘部152の裾側にリブ151を設ける必要はない。
さらに、輸液チューブ5、6とこれに接続した弁10周辺の気密性を保つために、輸液チューブ5、弁10、輸液チューブ6の接続領域を別体のチューブで覆うようにしてもよい。
また支持筒100の構成は大径部101および小径部102、段差部103を備える構成に限定されない。例えば一対の支持筒の間に弁体10を挟み込み、前記一対の支持筒を互いに接着などで固定するようにしてもよい。
【００３０】
さらに弁10は、薬液バッグ2と輸液チューブ3の間、もしくは輸液チューブ6に対する輸液ポンプ20の配設位置より下流側、のいずれに設けてもよい。
1-3.弁による効果について
以上の構成からなる輸液セット1によれば、使用時に先だって、まずユーザ（看護師）の操作によってプライミング処理を行う。このプライミング処理により、輸液作業の前に予め輸液経路（ここでは輸液チューブ3、点滴筒4、輸液チューブ5、弁体10、輸液チューブ6）中に存在する空気やガスを除去し、薬液40を満たす。
【００３１】
ここで図3は、プライミング処理時の弁10の状態を示す断面図である（説明上弁体10はカットしていない）。ユーザが弁10の側面を指で押圧すると、その押圧力で弁10内部の弁体150に備えられたスリット153が容易に開く。この状態で薬液バッグ2中の薬液40が、輸液チューブ3、5、6の落差によって、上記輸液経路を流通し、充填（プライミング）される。輸液チューブ6の下流側端部から薬液40が流れ出るようになれば、プライミング処理は完了する。
【００３２】
なお、支持筒100を硬質性材料で作製した場合には、上記ユーザの押圧操作で弁体150のスリット153を開けないことがある。そのような場合は、輸液ポンプ20に輸液チューブ6をセットし、輸液ポンプ20を駆動させることで上記輸液経路中の薬液40を強制的に流通させ、プライミング処理を行うことが可能である。
とはいえ、ユーザの押圧操作でも良好にスリット153が開くように設定するのが作業効率上から想定しても望ましいので、この理由から支持筒100はなるべく可撓性材料から構成するのが望ましい。
【００３３】
プライミング処理が終了したら、ユーザーは予め輸液条件が設定された輸液ポンプ20のチューブセット部240に対して輸液チューブ6がセットされているかを確認する。さらに、輸液チューブ6の下流側末端部が所定の連結位置にあるか否かをチェックする。そして、輸液ポンプ20の操作部210におけるスイッチ211をON状態にする。これにより輸液ポンプ20が作動し、上記輸液経路を通って薬液40が輸液される。
【００３４】
ここで図4は、ポンプ駆動時において、薬液40に輸液ポンプ20の駆動力が作用している状態における弁10の様子を示す断面図である（説明上弁体10はカットしていない）。
輸液チューブ3、5、6を流れる薬液40には、通常では輸液ポンプ20の駆動力（吸引力）が働く。これによって弁10の弁体150では、半紡錘部152のスリット153が変形して開放状態となり、薬液40が上流側から下流側へ良好に流通するようになる。薬液40はポンプ40に設定された輸液条件に基づき、正確な速度と時間で輸液される。
【００３５】
そして、万が一薬液40に輸液ポンプ20の駆動力が作用しなくなった場合（例えば実施の形態1では輸液チューブ3がペリスタルティックローラー230のローラー231とチューブセット部240の間から外れてしまった場合）、輸液チューブ3、5、6を流れる薬液40には、輸液ポンプ20の駆動力が作用しなくなる。このため弁10の弁体150では、開放状態にあった半紡錘部152のスリット153の形状が復元し、弁体150を境として上流側と下流側の薬液40を遮断して閉止状態となり、薬液40の流通を止める。
【００３６】
これによって実施の形態1では、従来において薬液40が落差や圧力差に起因して、短時間に大量に輸液チューブ3、5、6を流れるフリーフローの発生を効果的に防止することができる。このため、輸液速度を制御できずに薬液や栄養剤、血液を患者や送液ラインに過度に投与されるといった危険が回避され、飛躍的に安全性を高めることが可能となる。本実施の形態1では、上記弁10を利用するという比較的簡便な構成によって、上記フリーフローの発生を回避することが可能である。
【００３７】
このような弁10によるフリーフロー防止効果は、例えば輸液セット1の操作を行うユーザー（看護師）の監視が離れた状態（例えば夜間での使用時、または緊急移動車両、人命救助ヘリコプター中での比較的振動が加わる可能性のある使用時）において、特に高く発揮されることとなる。
1-4.実施例
上記輸液セット1において、弁体としてバックフローが無い弁（バーネーラボラトリー社製規格2898-101）を備え、これを支持筒（可塑化PVC（可塑剤部数60PHR））で内包してなる弁を用い、実施例を作製した。薬液バッグ2には生食バッグ1000mLを用い、定法により装着した。
【００３８】
実施例の医療用送液ラインにおいて、プライミング処理時にユーザーが弁を側面から押圧すると、弁体のスリットが開口して輸液経路に生理的食塩水が流通し、良好にプライミング処理が完了した。
このプライミング処理後、弁から手を放すと、速やかに弁が閉状態となり、輸液チューブ末端側から生理的食塩水の流出は停止した。このことから実施例の医療用送液ラインでは、弁によって生理的食塩水は落差のみでは流出せず、フリーフローの発生が抑制されることが確認できた。
【００３９】
1-5.その他の事項
上記医療用送液ラインでは、ペリスタルティック式ポンプを用いる例を示したが、ポンプとしてはこれ以外の方式で駆動するものを用いてもよい。
また上記実施の形態1では、ペリスタルティック式ポンプを用いた構成において、ペリスタルティックローラーから輸液チューブが脱離する場合に弁が作用する場合について主に説明したが、上記ローラーの蠕動運動による駆動力に限らず、ポンプの駆動力（吸引力）が薬液に作用しなくなったとき全般において、本発明の弁を作動させ、フリーフローを防止することができる。
【００４０】
さらに、上記実施の形態1では、弁を1個のみ設ける例を示したが、これに限定するものではなく、弁を複数個設けるようにしてもよい。複数の弁を設けることによって、より確実にフリーフローの発生を防止する効果が期待できる。
また、上記弁では、輸液チューブ内部の薬液にポンプの駆動力が作用しない場合、完全に閉状態となる構成としたが、完全に閉状態する構成に限定せず、使用条件に合わせて、適宜薬液の流速を減少させる構成としてもよい。この構成は、具体的には弁体のスリットに通常状態で若干隙間を持たせるようにすることで実現できる。
【産業上の利用可能性】
【００４１】
本発明は、医療用ポンプに装着した医療用送液ラインが輸液チューブ押圧部から不意に離脱した際のフリーフローを防止でき、緊急車両に搭載して救急医療に用いられる医療用送液ラインに利用することができる。
【図面の簡単な説明】
【００４２】
【図１】実施の形態1の医療用送液ラインの構成図である。
【図２】弁の構成を示す図である。
【図３】開放状態（プライミング操作時）にある弁周辺の構成を示す図である。
【図４】開放状態（ポンプ駆動時）にある弁周辺の構成を示す図である。
【図５】従来の医療用送液ラインの構成図である。
【符号の説明】
【００４３】
1    医療用送液ライン
2    輸液バッグ
3、5、6    輸液チューブ
4    点滴筒
7    クレンメ
10    弁
20    輸液ポンプ
201    筐体
210    操作部
220    表示部
230    ペリスタルティックローラー
231    ローラー
232    ローラー本体
240    チューブセット部
【図１】
2005296142.tif 000003
【図２】
2005296142.tif 000004
【図３】
2005296142.tif 000005
【図４】
2005296142.tif 000006
【図５】
2005296142.tif 000007